(57)【要約】【課題】本発明は、医療機器に関する。【解決手段】本発明における医療機器は、ブレード管部とブレード駆動システムと機械装置とを含んでいる。ブレード管部は、外側ブレード管と、内側ブレード管と、ブレード管部の遠位端部に位置している切削窓とを含んでいる。機械装置は、内側ブレード管とブレード駆動システムとの間に位置している。【選択図】図１
2020131041.tif 000002
【特許請求の範囲】
【請求項１】
ブレード管部であって、外側ブレード管と、内側ブレード管と、前記ブレード管部の遠位端部に位置する切削窓とを備えている、前記ブレード管部と、
ブレード駆動システムと、
前記内側ブレード管と前記ブレード駆動システムとの間に位置する機械装置と、
を備えている、医療機器。
【請求項２】
前記ブレード駆動システムが、ソレノイドを含んでいる、請求項１に記載の医療機器。
【請求項３】
前記ソレノイドが、前記ブレード管部の中心軸からオフセットされている、請求項２に記載の医療機器。
【請求項４】
前記機械装置が、レバー部材を備えており、
前記レバー部材が、前記内側ブレード管及び前記ブレード駆動システムに接続されている、請求項１〜３のいずれか一項に記載の医療機器。
【請求項５】
前記機械装置が、内側チューブ部材に接続されているカラーを備えている、請求項４に記載の医療機器。
【請求項６】
前記レバー部材が、前記カラーに移動可能に接続されている、請求項５に記載の医療機器。
【請求項７】
第１の方向における前記ソレノイドのシャフトの運動が、前記第１の方向の逆方向である第２の方向における前記内側ブレード管の運動を提供するように、前記機械装置が構成されている、請求項２に記載の医療機器。
【請求項８】
第１の方向における前記ソレノイドのシャフトの運動が、前記第１の方向における前記内側ブレード管の運動を提供するように、前記機械装置が構成されている、請求項２に記載の医療機器。
【請求項９】
前記機械装置が、カラーとブッシュとバネとを備えており、
前記カラーが、内側チューブ部材に接続されており、
前記バネが、前記ブッシュと前記カラーとの間に位置している、請求項１に記載の医療機器。
【請求項１０】
前記レバー部材が、第１の端部と、第２の端部と、前記第１の端部と前記第２の端部との間に位置する開口部とを備えており、
前記レバー部材が、前記開口部の周りで回転するように構成されている、請求項４に記載の医療機器。
【請求項１１】
前記レバー部材が、第１の端部と、第２の端部と、前記第１の端部と前記第２の端部との間に位置する開口部を備えており、
前記レバー部材が、前記第２の端部の周りで回転するように構成されている、請求項４に記載の医療機器。
【請求項１２】
前記機械装置が、カラーとブッシュとバネとを備えており、
前記カラーが、内側チューブ部材に接続されており、
前記バネが、前記ブッシュと前記カラーとの間に位置している、請求項４に記載の医療機器。
【請求項１３】
前記ブレード駆動システムが、モータである、請求項１に記載の医療機器。
【請求項１４】
前記モータが、前記ブレード管部の中心軸からオフセットされている、請求項１３に記載の医療機器。
【請求項１５】
前記機械装置が、内側チューブ部材に接続されているカラーを備えている、請求項１３又は１４に記載の医療機器。
【請求項１６】
前記機械装置が、フライホイールを備えており、
前記フライホイールが、前記モータに接続されている、請求項１５に記載の医療機器。
【請求項１７】
前記フライホイールが、カム部分を備えている、請求項１６に記載の医療機器。
【請求項１８】
前記カム部分が、前記カラーに係合するように構成されている、請求項１７に記載の医療機器。
【請求項１９】
前記モータが、モータシャフトを備えており、
前記モータシャフトが、前記ブレード管部の中心軸に対して略垂直に配置されている、請求項１３〜１８のいずれ一項に記載の医療機器。
【請求項２０】
前記機械装置が、カラーとブッシュとバネとを備えており、
前記カラーが、内側チューブ部材に接続されており、
前記バネが、前記ブッシュと前記カラーとの間に位置している、請求項１３に記載の医療機器。
【請求項２１】
前記カム部分が、前記内側ブレード管の部材に接触するように構成されている、請求項１７に記載の医療機器。
【請求項２２】
前記モータが、前記ブレード管部から離隔されている、請求項１３に記載の医療機器。
【請求項２３】
前記機械装置が、スコッチヨーク機構又は溝付リンク機構を備えている、請求項１３又は２２に記載の医療機器。
【請求項２４】
前記機械装置が、内側チューブ部材に接続されているカラーを備えている、請求項２３に記載の医療機器。
【請求項２５】
前記機械装置が、フライホイールをさらに備えており、
前記フライホイールが、前記モータに接続されている、請求項２４に記載の医療機器。
【請求項２６】
前記フライホイールが、ピンを備えている、請求項２５に記載の医療機器。
【請求項２７】
前記ピンが、前記カラーの一部分に係合するように構成されている、請求項２６に記載の医療機器。
【請求項２８】
前記モータが、モータシャフトを備えており、
前記モータシャフトが、前記ブレード管部の中心軸に対して略垂直に配置されている、請求項２２〜２７のいずれか一項に記載の医療機器。
【請求項２９】
前記機械装置が、カラーを備えており、
前記カラーが、内側チューブ部材に接続されており、
前記カラーのヨーク部分が、前記モータによって回転されるピンを受容するように構成されている、請求項２３に記載の医療機器。
【請求項３０】
前記カラーのヨーク部が、溝付部分を備えている、請求項２４又は２９に記載の医療機器。
【請求項３１】
前記機械装置が、レバーアームを備えている、請求項１３又は２２に記載の医療機器。
【請求項３２】
前記機械装置が、内側チューブ部材に接続されているカラーをさらに備えている、請求項３１に記載の医療機器。
【請求項３３】
前記機械装置が、フライホイールをさらに備えており、
前記フライホイールが、前記モータに接続されている、請求項３２に記載の医療機器。
【請求項３４】
前記フライホイールが、ピンを備えている、請求項３３に記載の医療機器。
【請求項３５】
前記カラーが、フランジ部及びピン部を備えている、請求項３４に記載の医療機器。
【請求項３６】
前記モータが、モータシャフトを備えており、
前記モータシャフトが、前記ブレード管部の中心軸に対して略垂直に配置されている、請求項１３又は２２に記載の医療機器。
【請求項３７】
前記機械装置が、カラーをさらに備えており、
前記カラーが、内側チューブ部材に接続されており、
前記カラーのピンが、前記レバーアームの開口部によって受容されるように構成されている、請求項３１に記載の医療機器。
【請求項３８】
前記機械装置が、
ピンを有しているフライホイールであって、前記モータに接続されている前記フライホイールと、
ピン部を有しているカラーであって、前記カラーが、前記内側ブレード管に接続されており、部材が、前記ピン部を前記ピンに移動可能に接続している、前記カラーと、
を備えている、請求項１３又は２２に記載の医療機器。
【請求項３９】
前記カラーが、内側チューブ部材に固定された状態で接続されている、請求項３８に記載の医療機器。
【請求項４０】
前記部材が、レバーアームである、請求項３８又は３９に記載の医療機器。
【請求項４１】
前記レバーアームが、第１の開口部と、前記第１の開口部の反対側に位置する第２の開口部とを備えている、請求項４０に記載の医療機器。
【請求項４２】
前記第１の開口部が、前記ピンを受容するように構成されており、
前記第２の開口部が、前記ピン部を受容するように構成されている、請求項４１に記載の医療機器。
【請求項４３】
前記レバーアームが、前記フライホイールと前記内側ブレード管との間に位置している、請求項４１に記載の医療機器。
【請求項４４】
前記ピンが、前記フライホイールと前記内側ブレード管との間に位置している、請求項３８に記載の医療機器。
【請求項４５】
前記内側ブレード管が、前記外側ブレード管に対して往復運動するように構成されている、請求項１〜４４のいずれか一項に記載の医療機器。
【請求項４６】
モータが、前記ブレード管部の中心軸に対して略垂直に位置している、請求項１３〜４５のいずれか一項に記載の医療機器。
【発明の詳細な説明】
【技術分野】
【０００１】
本発明は、医療機器に関し、より詳細には、外科用シェーバ機器の往復運動の方法に関する。
【背景技術】
【０００２】
従来の外科用シェーバは、一般に、平行な歯車列に連結されている回転モータを使用して、振動運動をシェーバブレードに伝える。しかしながら、振動運動を用いて切削すると、粘膜を引き裂き、引きちぎる場合がある。一方、ブレードを往復運動させると、より鮮やかで、より精密な切り口を生み出すことができる。
【０００３】
往復運動用の外科用シェーバは、市場に存在している。しかしながら、これらの機器は、一般に、往復運動を駆動させるのに真空からの空気圧を使用しており、それにより結果的には、切削行程が弱くなり、ひいては、機器は、手技を遂行するのに必要な組織を切断することができなくなる場合がある。
【発明の概要】
【発明が解決しようとする課題】
【０００４】
したがって、往復運動用ブレードを有する改良された信頼性のある医療機器構成を提供する必要がある。
【課題を解決するための手段】
【０００５】
本発明の１つの態様によれば、医療機器が開示される。この医療機器は、ブレード管部、ブレード駆動システム、及び機械装置を含む。ブレード管部は、外側ブレード管、内側ブレード管、及びブレード管部の遠位端部における切削窓を含む。機械装置は、内側ブレード管とブレード駆動システムとの間にある。
【０００６】
本発明の前述の態様及び他の特徴については、添付の図面と関連して解釈される次の説明において明確にする。
［付記項１］
ブレード管部であって、外側ブレード管と、内側ブレード管と、前記ブレード管部の遠位端部に位置する切削窓とを備えている、前記ブレード管部と、
ブレード駆動システムと、
前記内側ブレード管と前記ブレード駆動システムとの間に位置する機械装置と、
を備えている、医療機器。
［付記項２］
前記ブレード駆動システムが、ソレノイドを含んでいる、付記項１に記載の医療機器。
［付記項３］
前記ソレノイドが、前記ブレード管部の中心軸からオフセットされている、付記項２に記載の医療機器。
［付記項４］
前記機械装置が、レバー部材を備えており、
前記レバー部材が、前記内側ブレード管及び前記ブレード駆動システムに接続されている、付記項１〜３のいずれか一項に記載の医療機器。
［付記項５］
前記機械装置が、前記内側チューブ部材に接続されているカラーを備えている、付記項４に記載の医療機器。
［付記項６］
前記レバー部材が、前記カラーに移動可能に接続されている、付記項５に記載の医療機器。
［付記項７］
第１の方向における前記ソレノイドのシャフトの運動が、前記第1の方向の逆方向である第２の方向における前記内側ブレード管の運動を提供するように、前記機械装置が構成されている、付記項２に記載の医療機器。
［付記項８］
第１の方向における前記ソレノイドのシャフトの運動が、前記第1の方向における前記内側ブレード管の運動を提供するように、前記機械装置が構成されている、付記項２に記載の医療機器。
［付記項９］
前記機械装置が、カラーとブッシュとバネとを備えており、
前記カラーが、前記内側チューブ部材に接続されており、
前記バネが、前記ブッシュと前記カラーとの間に位置している、付記項１に記載の医療機器。
［付記項１０］
前記レバー部材が、第１の端部と、第２の端部と、前記第１の端部と前記第２の端部との間に位置する開口部とを備えており、
前記レバー部材が、前記開口部の周りで回転するように構成されている、付記項４に記載の医療機器。
［付記項１１］
前記レバー部材が、第１の端部と、第２の端部と、前記第１の端部と前記第２の端部との間に位置する開口部を備えており、
前記レバー部材が、前記第２の端部の周りで回転するように構成されている、付記項４に記載の医療機器。
［付記項１２］
前記機械装置が、カラーとブッシュとバネとを備えており、
前記カラーが、前記内側チューブ部材に接続されており、
前記バネが、前記ブッシュと前記カラーとの間に位置している、付記項４に記載の医療機器。
［付記項１３］
前記ブレード駆動システムが、モータである、付記項１に記載の医療機器。
［付記項１４］
前記モータが、前記ブレード管部の中心軸からオフセットされている、付記項１３に記載の医療機器。
［付記項１５］
前記機械装置が、前記内側チューブ部材に接続されているカラーを備えている、付記項１３又は１４に記載の医療機器。
［付記項１６］
前記機械装置が、フライホイールを備えており、
前記フライホイールが、前記モータに接続されている、付記項１５に記載の医療機器。
［付記項１７］
前記フライホイールが、カム部分を備えている、付記項１６に記載の医療機器。
［付記項１８］
前記カム部分が、前記カラーに係合するように構成されている、付記項１７に記載の医療機器。
［付記項１９］
前記モータが、モータシャフトを備えており、
前記モータシャフトが、前記ブレード管部の前記中心軸に対して略垂直に配置されている、付記項１３〜１８のいずれ一項に記載の医療機器。
［付記項２０］
前記機械装置が、カラーとブッシュとバネとを備えており、
前記カラーが、前記内側チューブ部材に接続されており、
前記バネが、前記ブッシュと前記カラーとの間に位置している、付記項１３に記載の医療機器。
［付記項２１］
前記カム部分が、前記内側ブレード管の部材に接触するように構成されている、付記項１７に記載の医療機器。
［付記項２２］
前記モータが、前記ブレード管部から離隔されている、付記項１３に記載の医療機器。
［付記項２３］
前記機械装置が、スコッチヨーク機構又は溝付リンク機構を備えている、付記項１３又は２２に記載の医療機器。
［付記項２４］
前記機械装置が、前記内側チューブ部材に接続されているカラーを備えている、付記項２３に記載の医療機器。
［付記項２５］
前記機械装置が、フライホイールをさらに備えており、
前記フライホイールが、前記モータに接続されている、付記項２４に記載の医療機器。
［付記項２６］
前記フライホイールが、ピンを備えている、付記項２５に記載の医療機器。
［付記項２７］
前記ピンが、前記カラーの一部分に係合するように構成されている、付記項２６に記載の医療機器。
［付記項２８］
前記モータが、モータシャフトを備えており、
前記モータシャフトが、前記ブレード管部の前記中心軸に対して略垂直に配置されている、付記項２２〜２７のいずれか一項に記載の医療機器。
［付記項２９］
前記機械装置が、カラーを備えており、
前記カラーが、前記内側チューブ部材に接続されており、
前記カラーのヨーク部分が、前記モータによって回転されるピンを受容するように構成されている、付記項２３に記載の医療機器。
［付記項３０］
前記カラーのヨーク部が、溝付部分を備えている、付記項２４又は２９に記載の医療機器。
［付記項３１］
前記機械装置が、レバーアームを備えている、付記項１３又は２２に記載の医療機器。
［付記項３２］
前記機械装置が、前記内側チューブ部材に接続されているカラーをさらに備えている、付記項３１に記載の医療機器。
［付記項３３］
前記機械装置が、フライホイールをさらに備えており、
前記フライホイールが、前記モータに接続されている、付記項３２に記載の医療機器。
［付記項３４］
前記フライホイールが、ピンを備えている、付記項３３に記載の医療機器。
［付記項３５］
前記カラーが、フランジ部及びピン部を備えている、付記項３４に記載の医療機器。
［付記項３６］
前記モータが、モータシャフトを備えており、
前記モータシャフトが、前記ブレード管部の前記中心軸に対して略垂直に配置されている、付記項１３又は２２に記載の医療機器。
［付記項３７］
前記機械装置が、カラーをさらに備えており、
前記カラーが、前記内側チューブ部材に接続されており、
前記カラーのピンが、前記レバーアームの開口部によって受容されるように構成されている、付記項３１に記載の医療機器。
［付記項３８］
前記機械装置が、
ピンを有しているフライホイールであって、前記モータに接続されている前記フライホイールと、
ピン部を有しているカラーであって、前記カラーが、前記内側ブレード管に接続されており、部材が、前記ピン部を前記ピンに移動可能に接続している、前記カラーと、
を備えている、付記項１３又は２２に記載の医療機器。
［付記項３９］
前記カラーが、前記内側チューブ部材に固定された状態で接続されている、付記項３８に記載の医療機器。
［付記項４０］
前記部材が、レバーアームである、付記項３８又は３９に記載の医療機器。
［付記項４１］
前記レバーアームが、第１の開口部と、前記第１の開口部の反対側に位置する第２の開口部とを備えている、付記項４０に記載の医療機器。
［付記項４２］
前記第１の開口部が、前記ピンを受容するように構成されており、
前記第２の開口部が、前記ピン部を受容するように構成されている、付記項４１に記載の医療機器。
［付記項４３］
前記レバーアームが、前記フライホイールと前記内側ブレード管との間に位置している、付記項４１に記載の医療機器。
［付記項４４］
前記ピンが、前記フライホイールと前記内側ブレード管との間に位置している、付記項３８に記載の医療機器。
［付記項４５］
前記内側ブレード管が、前記外側ブレード管に対して往復運動するように構成されている、付記項１〜４４のいずれか一項に記載の医療機器。
［付記項４６］
前記モータが、前記ブレード管部の中心軸に対して略垂直に位置している、付記項１３〜４５のいずれか一項に記載の医療機器。
【図面の簡単な説明】
【０００７】
【図１】本発明の特徴を組み込んだ医療機器の側面図である。
【図２】医療機器に使用される切削チップの代替の実施形態を示す図である。
【図３】医療機器に使用される切削チップの代替の実施形態を示す図である。
【図４】医療機器に使用される切削チップの代替の実施形態を示す図である。
【図５】医療機器に使用される切削チップの代替の実施形態を示す図である。
【図６】医療機器に使用されるブレード駆動システムの側面図である。
【図７】医療機器に使用される代替のブレード駆動システムの側面図である。
【図８】医療機器に使用されるブレード駆動システムの上面図である。
【図９】ブレード駆動システムの別の上面図である。
【図１０】医療機器に使用される代替のブレード駆動システムの斜視図である。
【図１１】医療機器に使用されるブレード駆動システムの上面図である。
【図１２】ブレード駆動システムの部分図である。
【図１３】ブレード駆動システムの斜視図である。
【図１４】医療機器に使用されるブレード駆動システムの上面図である。
【図１５】ブレード駆動システムの別の上面図である。
【図１６】ブレード駆動システムの側面図である。
【図１７】ブレード駆動システムの斜視図である。
【図１８】医療機器に使用される代替のブレード管部の断面図と上面平面図である。
【発明を実施するための形態】
【０００８】
図１を参照すると、本発明の特徴を組み込んだ医療機器１０の切欠き部を含む側面図が示されている。本発明については、図面に示されている例示的な実施形態を参照して説明することになるが、本発明が多くの代替の形態の実施形態で具現化され得ることを理解すべきである。加えて、任意の適切なサイズ、形状、又はタイプの要素若しくは材料も使用可能である。
【０００９】
様々な例示的実施形態によれば、医療機器１０は、概して、鼻ポリープの除去、鼻甲介の粘膜下病変摘出（sub-mucosal debulk of turbinate）、及び機能性内視鏡下副鼻腔手術（FESS:functional endoscopic sinus surgery）に使用するように構成されている。
【００１０】
医療機器１０は、例えば使い捨てデブリーダとすることができ、筐体１２（ピストルグリップ部分１４を有することができる）、ブレード管部１６、及びノーズピース１８を備える。ノーズピース１８は、回転自在のノーズピースとすることができ、筐体１２とブレード管部１６との間にある。ただし、医療機器の例示的な実施形態が、（筐体の）外側部材に連結されているノーズコーンを有する構成などの任意の適切な構成、又は例えば洗浄機能を備えることができる任意の他の適切な湾曲状若しくは直線状のデブリーダ構成を備えることができることに留意すべきである。機器１０のブレード管部１６は、解剖学的構造及び外科医の選好に応じて、大小のシェーバチューブとともに構成され得、また単極高周波（ＲＦ）パワーにも又は双極高周波パワーにも適合され得る。例えば、外部ＥＳＧ（電気外科用発電機）が、ＲＦパワーを供給することができる。
【００１１】
筐体１２は、機器１０の作動部材を収めるようにサイズ決めされ形状決めされた内部空洞２０を備える。加えて、幾つかの実施形態においては、オプションのピストルグリップ部分１４は、機器１０の作動部材（又は他のハードウェア）をやはり収めるようにサイズ決めされ形状決めされ得る内部空洞２２を含むことができる。
【００１２】
ブレード管部１６は、外側ブレード管２４及び内側ブレード管２６を備え、医療機器１０は、内側ブレード管２６を駆動するように構成されている空洞２０内に取り付けられている（又は空洞２２内に取り付けられている）ブレード駆動システム２８をさらに備える。幾つかの実施形態においては、ブレード管２４、２６が、可撓性及び／又は湾曲状のチューブを備えることができることに留意すべきである。
【００１３】
加えて、医療機器１０は、コネクタ３０及び電力ケーブル３２を備える。コネクタ（又は吸引接続部）３０は、吸引チューブ又は真空源に接続するように構成されている。コネクタ３０は、コネクタ３０の内側に取り付けられている動的シール３４を含む。動的シール３４は、コネクタ３０と内側ブレード管２６の内側ルーメン３６（内側ブレード管２６の外側表面を介する）との間の封止された接触面をもたらすように構成されている。電力ケーブル３２は、ブレード駆動システム２８の構成要素にパワーを供給するように構成されている。
【００１４】
外側ブレード管２４は、筐体１２に（回転自在に又は固定された状態で）取り付けられ、静止部材として機能する。例えば、様々な例示的実施形態によれば、ノーズピース１８は、外側ブレード管２４に取り付けられ得、オプションで、筐体１２とは無関係に外側ブレード管２４を回転させることができる。内側ブレード管２６は、（内側ブレード管２６が外側ブレード管２４のルーメン３８内で摺動可能に取り付けられるように）外側ブレード管２４の内側に摺動可能に取り付けられている。
【００１５】
内側ブレード管２６は、ブレード駆動システム２８によって、遠位に（すなわち、遠位端部４０に向かって）、又は近位に（すなわち、近位端部４２に向かって）押し付けられるように構成されている。外側ブレード管２４は、医療機器１０の切削窓４６を形成する遠位端部４０に近接した開口部４４を備える。切削窓４６は、外側ブレード管の切削縁部４８（すなわち、開口部４４の遠位縁部）、及び内側ブレード管２６の切削チップ５０によって形成される。内側ブレード管２６の往復運動により、切削チップ５０が、切削縁部４８に対して往復運動して、組織切削を行うようにすることが（すなわち、切削チップ５０を、外側ブレード管２４の開口部４４と位置合わせ及び位置ずれさせることによって）可能になる。図１に示されている実施形態においては、切削縁部４８は、切削窓４６の円筒形の面部分にある。ただし、代替の実施形態においては、切削縁部は、遠位端部４０に沿って任意の適切な場所に設けることもできる。
【００１６】
本発明の様々な例示的実施形態については、角度付けされた直線状のエッジ構成を備える切削チップ５０に関連して説明しているが、代替の実施形態が他の適切な構成を含むことができることに留意すべきである。例えば、図２〜図５は、切削チップ５０の代替の実施形態を示している（切削チップ５０Ａ、５０Ｂ、５０Ｃ、５０Ｄ参照）。
【００１７】
次にまた、図６を参照すると、ブレード駆動システム２８は、ソレノイド５２、及び機械装置５４を備える。ソレノイド５２は、ブレード管部１６の中心軸からオフセットされている。ソレノイド５２は、概して、付勢コイル５８を含む静止中空円筒形部５６と、コイル５８が（電力ケーブル３２によって）電気的に付勢されると、既知の力により軸方向に（方向６２参照）移動するように誘導されるシャフト６０（中空の静止部５６の中心で電機子に接続されている）とを備える。
【００１８】
機械装置５４は、遠位ブッシュ６４、近位ブッシュ６６、カラー６８、バネ７０、及びレバー部材７２を備える。ブッシュ６４、６６は、筐体１２に固定された状態で取り付けられ、それぞれ、開口部７４、７６を備え、開口部７４、７６は、その中を内側ブレード管２６が往復運動できるようにサイズ決めされ形状決めされている。カラー６８は、略フランジ形状を備え、第１の側面７８及び第２の側面８０を有し、ブッシュ６４、６６間にある。カラー６８は、第１の側面７８と第２の側面８０との間にピン（又はボスフィーチャ）８２をさらに備える。カラー６８はまた、内側ブレード管２６に固定された状態で接続されている（又は固定された状態で取り付けられている）。バネ７０は、遠位ブッシュ６４とカラー６８の第１の側面７８との間にある。様々な例示的実施形態によれば、バネは、圧縮バネであるが、代替の実施形態においては、バネは、引っ張りバネであってもよい。加えて、幾つかのさらなる実施形態においては、バネは、近位ブッシュ６６とカラー６８の第２の側面８０との間にあってもよい。
【００１９】
レバー部材７２は、第１の端部８４、反対側の第２の端部８６、及び第１の端部８４と第２の端部８６との間の開口部８８を備える。レバー部材の第１の端部８４は、取付け点９０においてソレノイド５２のシャフト６０に移動可能に接続されている。様々な例示的実施形態によれば、取付け点９０は、シャフト６０上のピン（又はボスフィーチャ）９２、及びレバー部材７２の第１の端部８４における（ピン（又はボスフィーチャ）を受容する）開口部９４を備える。この実施形態においては、開口部９４は、開口部９４とピン９２との間の移動可能な接続をもたらすように細長い又は溝付きの形状を備える。ただし、代替の実施形態においては、レバー部材とシャフトとの間の移動可能な接続を可能にする任意の他の適切なフィーチャを設けることもできる。様々な例示的実施形態によれば、取付け点は、ソレノイド及び／又はソレノイド構成の動力行程の方向に応じて、押圧する／引き寄せる（ｐｕｓｈ  ＆  ｐｕｌｌ）、「押圧」のみする、又は「引寄せ」のみするように固定され得る。レバー部材７２の第２の端部８６は、レバー部材７２とカラー６８との間の移動可能な接続をともにもたらす、カラー６８のピン８２を受容するようにサイズ決めされ形状決めされた開口部９６を備える。ただし、代替の実施形態においては、レバー部材とカラーとの間の移動可能な接続を可能にする任意の他の適切なフィーチャを設けることもできる。幾つかの実施形態によれば、開口部９６は、細長い又は溝付きの形状を備える。
【００２０】
開口部８８は、筐体１２に固定された状態で取り付けられているピン（又はボスフィーチャ）９８を受容するようにサイズ決めされ形状決めされている。幾つかの実施形態によれば、開口部８８は、細長い又は溝付きの形状を備える。開口部８８とピン９８との間の移動可能な接続により、レバー部材７２は、ピン９８の周りを枢動する（又は回転する）ことが可能になる。
【００２１】
上述した機械装置は、レバー部材７２を固定されたピン９８の周りで回転（及び／又は摺動）させて、ソレノイド作動を内側ブレード管２６に伝達するように構成されている。様々な例示的実施形態によれば、「逆向きの（reverse）」ソレノイド運動（すなわち、方向６２のソレノイド５２の動力行程）は、内側ブレード管２６の前向きの運動（矢印９９参照）を生み出す。例えば、ソレノイド５２が作動すると、シャフト６０は、方向６２に移動し、それにより、レバーアーム７２が、反時計回りの方向に枢動又は回転するようになり、それによりさらには、内側ブレード管２６が方向９９に移動することになる。次いで、圧縮バネ７０は、反対方向に（すなわち、方向９９とは反対の）偏倚力をもたらして、内側ブレード管２６を（９９とは反対の方向に）移動させ、レバー部材７２の時計回りの枢動又は回転を引き起こし、ソレノイド５２のシャフト６０を逆行程に戻す（すなわち、シャフト６０を６２とは反対の方向に移動させる）ように構成されている。内側ブレード管２６の方向９９及び方向９９とは反対のこの運動は、外側ブレード管内で内側ブレード管の往復運動をもたらす。
【００２２】
上記の実施形態については、「逆向きの」ソレノイド運動（すなわち、方向６２のソレノイド５２の動力行程）に関連して説明しているが、代替の実施形態では、反対方向の動力行程、及び（圧縮バネ７０の代わりに）引っ張りバネ、又はカラー６８と近位ブッシュ６６との間の圧縮バネにより行うことができる。
【００２３】
様々な例示的実施形態においては、ピン９８が、ソレノイドの行程及び力に対して異なる行程長及び機械力効率を生み出すように異なる場所に配置され得ることに留意すべきである。加えて、この実施形態においては、開口部８８、９４については、ピン９８、９２に対する「脱拘束（de-constrained）」接続をもたらすように溝付き又は細長い形状を有するように説明しているが、ピン８２と開口部９６との間の接続は、実質的に固定された枢動点をもたらすことにさらに留意すべきである。この構成を用いると、レバー部材７２は、（ピン８２と開口部９６との間の移動可能な接続部における）揺動円弧及び単一の固定された枢動点、ならびにピン９８、９２における（（細長い／溝付きの開口部８８、９４を介して）揺動円弧に対してｘ方向及びｙ方向に移動する）「脱拘束」接続をもたらす。ただし、代替の実施形態においては、そうではなく、固定された枢動点は、残りの２つの開口部８８、９４、９６における「脱拘束」接続によるピン９８又は９２に設けることもでき得る。
【００２４】
次にまた、図７を参照すると、ブレード駆動システム１２８の代替の実施形態が示されている。ブレード駆動システム１２８は、ブレード駆動システム２８と同様であり、同様のフィーチャは同様に符号付けされている。機械装置５４と同様に、機械装置１５４は、レバー部材１７２を備え、レバー部材１７２は、第１の端部１８４、反対側の第２の端部１８６、及び第１の端部１８４と第２の端部１８６との間の開口部１８８を有する。また、レバー部材の第１の端部１８４は同様に、取付け点１９０においてソレノイド５２のシャフト６０に移動可能に接続され、この取付け点１９０は、シャフト６０上にピン（又はボスフィーチャ）９２、及びレバー部材１７２の第１の端部１８４に（ピン（又はボスフィーチャ）を受容する）開口部１９４を備える。開口部１９４は、開口部１９４とピン９２との間の移動可能な接続をもたらすように細長い又は溝付きの形状を備える。ただし、この実施形態においては、レバー部材１７２の第２の端部１８６は、筐体１２に固定された状態で取り付けられているピン１９８を受容するようにサイズ決めされ形状決めされている開口部１９６を備える。開口部１９６とピン１９８との間の移動可能な接続により、レバー部材１７２は、ピン１９８の周りで枢動（又は回転）することが可能になる。
【００２５】
この実施形態におけるもう１つの違いは、開口部１８８がカラー６８のピン（又はボスフィーチャ）８２を受容するようにサイズ決めされ形状決めされていることである。幾つかの実施形態によれば、開口部１８８は、細長い又は溝付きの形状を備える。
【００２６】
上述した機械装置１５４は、レバー部材１７２を固定されたピン１９８の周りで回転（及び／又は摺動）させて、ソレノイド作動を内側ブレード管２６に伝達するように構成されている。様々な例示的実施形態によれば、ソレノイド運動（すなわち、方向１６２のソレノイド５２の動力行程）は、内側ブレード管２６の前向きの運動（矢印９９参照）を生み出す。例えば、ソレノイド５２が作動すると、シャフト６０は、方向１６２に移動し、それにより、レバーアーム１７２が、ピン１９８の周りで枢動又は回転するようになり、それによりさらには、カラー６８及び内側ブレード管２６が方向９９に移動することになる。
【００２７】
機械装置５４と同様に、機械装置１５４は、逆行程に偏倚力をもたらすように（カラーとブッシュとの間に）圧縮バネ及び／又は引っ張りバネを備えることができる。加えて、幾つかの他の実施形態においては、ソレノイド５２のシャフト６０は、カラー６８を直接、押圧することが可能になる。また、図６に示されている実施形態と同様に、開口部１８８、１９４については、ピン８２、９２に対する「脱拘束」接続をもたらすように溝付きの又は細長い形状を有するように説明しているが、ピン１９８と開口部１９６との間の接続は、実質的に固定された枢動点をもたらす。この構成を用いると、レバー部材１７２は、（ピン１９８と開口部１９６との間の移動可能な接続部における）揺動円弧及び単一の固定された枢動点、ならびにピン８２、９２における（（細長い／溝付きの開口部１８８、１９４を介して）揺動円弧に対してｘ方向及びｙ方向に移動する）「脱拘束」接続部をもたらす。ただし、代替の実施形態においては、そうではなく、固定された枢動点は、残りの２つの開口部１８８、１９４、１９６における「脱拘束」接続によるピン８２又は９２に設けることもでき得る。
【００２８】
例示的な実施形態のうちのいずれか１つ又は複数の技術的効果は、従来の空気圧ベースの機器がもたらし得るものよりも大きい力を往復運動用ブレードに提供することによって、従来の構成に対する有意な利点を提供する。様々な例示的実施形態のさらなる技術的効果は、メインブレードからオフセットされたソレノイドを設置して、ブレードに付随するフランジを介して直接的に、又はそうでなければ、力の方向を逆にする枢動軸における剛性部材を介して間接的にブレードを駆動させることである。様々な例示的実施形態の別の技術的効果は、毎回、ソレノイドが動いた後に、ブレードがそのホームポジションに戻るような方式で、ブレードにバネが取り付けられていることである。
【００２９】
次にまた、図８を参照すると、ブレード駆動システム２８は、モータ２５２及び機械装置２５４を備える。モータ２５２は、ブレード管部１６の中心軸に対して、オフセットされ略垂直である。モータ２５２は、概して、モータ筐体２５６、及びモータ筐体２５６から延出するモータシャフト２５８を備える。モータシャフト２５８は、モータ２５２が（電力ケーブル３２によって）電気的に付勢されると、回転するように構成されている。幾つかの実施形態によれば、モータ２５２、又はモータ２５２の少なくとも一部分は、グリップ空洞２２内に配設され得る。ただし、代替の実施形態においては、モータ２５２に適切な任意の場所が設けられてもよい（例えば、筐体空洞２０など）。
【００３０】
機械装置２５４は、遠位ブッシュ２６０、近位ブッシュ２６２、カラー２６４、バネ２６６、及びフライホイール２６８を備える。ブッシュ２６０、２６２は、筐体１２に固定された状態で取り付けられ、それぞれ、開口部２７０、２７２を備え、開口部２７０、２７２は、その中を内側ブレード管２６が往復運動できるようにサイズ決めされ形状決めされている。カラー２６４は、略フランジ形状を備え、第１の側面２７４及び第２の側面２７６を有し、ブッシュ２６０、２６２間にある。カラー２６４は、内側ブレード管２６に固定された状態で接続されている（又は固定された状態で取り付けられている）。バネ２６６は、遠位ブッシュ２６０とカラー６４の第１の側面２７４との間にある。
【００３１】
様々な例示的実施形態によれば、バネは、圧縮バネであるが、代替の実施形態においては、バネは、引っ張りバネであってもよい。加えて、幾つかのさらなる実施形態においては、バネは、近位ブッシュ２６２とカラー２６４の第２の側面２７６との間にあってもよい。
【００３２】
フライホイール２６８は、カム部分２７８を備える。カム部分２７８は、回転用フライホイール２６８上に突起を形成する。カム部分２７８は、（フライホイール２６８が回転している間に）カラー２６４の第２の側面２７６と摺動接触して、内側ブレード管２６に（内側ブレード管２６に固定された状態で取り付けられているカラー２６４を介して）運動を伝えるように構成されている。
【００３３】
上述した機械装置は、（モータ２５２によって駆動する）フライホイール２６８を回転させて（矢印２８０参照）、カム部分（又はカム形）２７８がカラー２６４と連動するように構成されている。カム部分２７８が回転し、カラー２６４の第２の側面２７６に係合するにつれて、フライホイール２６８が回転すると、カム部分２７８は、方向２８２に押圧し、又は力を伝えることになり、それにより、カラー２６４及び内側ブレード管２６は、遠位端部４０に向かって摺動するようになる（図８参照）。カム部分２７８がカラー２６４を越えて移動し、脱係合すると（図９参照）、内側ブレード管は、バネ２６６の偏倚力に起因して、そのホームポジションに（矢印２８４参照）戻される。
【００３４】
上記の実施形態については、フライホイールの「反時計回りの」回転に関連して説明しているが、代替の実施形態では、（対応するカム部分とともに）フライホイールの「時計回りの回転」及び同じ場所のバネ、又はカラー２６４と近位ブッシュ２６２との間のバネにより行うことができる。さらなる実施形態においては、内側ブレード管の往復運動をもたらすフライホイール及び／又はバネに適切な任意の場所を設けることができる。
【００３５】
次にまた、図１０を参照すると、ブレード駆動システムの代替の実施形態が示されている。ブレード駆動システム２２８は、ブレード駆動システム２８と同様であり、同様のフィーチャは同様に符号付けされている。機械装置２５４と同様に、機械装置３５４は、カラー２６４、バネ１６６、及びフライホイール２６８を備える。ただし、この実施形態においては、バネ１６６は、カラー２６４と吸引コネクタ２９０との間に接続されている引っ張りバネである。
【００３６】
ブレード駆動システム２８と同様に、カム部分２７８は、（フライホイール２６８が回転している間に）カラー２６４の第２の側面２７６と摺動接触して、内側ブレード管２６に（内側ブレード管２６に固定された状態で取り付けられているカラー２６４を介して）運動を伝えるように構成されている。機械装置３５４は、（モータ２５２によって駆動する）フライホイール２６８を回転させて（矢印２８０参照）、カム部分（又はカム形）２７８がカラー２６４と連動するように構成されている。カム部分２７８が回転し、カラー２６４の第２の側面２７６に係合するにつれて、フライホイール２６８が回転すると、カム部分２７８は、方向２８２に押圧し、又は力を伝えることになり、それにより、カラー２６４及び内側ブレード管２６は、遠位端部４０に向かって摺動するようになる。カム部分２７８がカラー２６４を越えて移動し、脱係合すると、内側ブレード管は、バネ１６６の偏倚力に起因して、そのホームポジションに戻される。この実施形態では、バネ１６６は吸引コネクタ２９０に接続されていることが示されているが、代替の実施形態では、バネ１６６は機器１０の任意の他の適切な固定された表面に接続していてもよいことに留意すべきである。
【００３７】
例示的な実施形態のうちのいずれか１つ又は複数の技術的効果は、従来の空気圧ベースの機器がもたらし得るものよりも大きい力を往復運動用ブレードに提供することによって、従来の構成に対する有意な利点を提供する。様々な例示的実施形態のさらなる技術的効果は、ブレード管部の中心軸からオフセットされた（及び垂直である）モータを設けることである。様々な例示的実施形態の別の技術的効果は、毎回、動いた後に、ブレードがそのホームポジションに戻るような方式で、ブレードにバネが取り付けられていることである。
【００３８】
次にまた、図１１〜図１３を参照すると、ブレード駆動システム２８は、モータ４５２及び機械装置４５４を備える。モータ４５２は、ブレード管部１６の中心軸に対して略垂直である。モータ４５２は、概して、モータ筐体４５６、及びモータ筐体４５６から延出するモータシャフト４５８を備える。モータシャフト４５８は、モータ４５２が（電力ケーブル３２によって）電気的に付勢されると、回転するように構成されている。幾つかの実施形態によれば、モータ４５２、又はモータ４５２の少なくとも一部分は、グリップ空洞２２内に配設され得る。ただし、代替の実施形態においては、モータ４５２に適切な任意の場所が設けられてもよい（例えば、筐体空洞２０など）。
【００３９】
機械装置４５４は、カラー４６０及びフライホイール４６２を備える。カラー４６０は、フランジ部４６４及びヨーク部４６６を備える。フランジ部４６４は、内側ブレード管２６に固定された状態で接続されている（又は固定された状態で取り付けられている）。ヨーク部４６６は、概して溝又はレーストラックの形状を有する溝付部分４６８を備える。フライホイールは、溝付部分４６８の中に受容されるように構成されたピン４７０を備える。カラー４６０のヨーク部４６６及びフライホイール４６２のピン４７０の構成は、フライホイール４６２の回転運動をカラー４６０（及び内側ブレード管２６）の直線運動に変換する往復運動機構を提供する「スコッチヨーク機構」又は「溝付リンク機構」を形成する。例えば、フライホイール４６２が方向４７２に回転するにつれて、ピン４７０は溝付部分４６８内で摺動するとともに、（方向４７４に）カラー４６０に対して力を伝える。フライホイール４６２が回転し続けると、カラー４６０（及び内側ブレード管２６）は、順行程の端部に到達し、フライホイール４６２の連続回転が開始して、ピン４７０は、（方向４７６に）カラー４６０に対して力を伝えて、溝付部分４６８内で摺動し続けることになる。フライホイール４６２が回転し続けると、カラー４６０（及び内側ブレード管２６）は、逆行程の端部に到達し、フライホイール４６２の連続回転が開始して、ピン４７０は、方向４７６にカラー４６０に対して力を伝えて、順行程を繰り返すことになる。
【００４０】
上述した実施形態においては、機械装置は、フライホイール４６２上にピン４７０、及びカラーのヨーク部４６６上に溝付部分４６８を備える。ただし、代替の実施形態においては、ピンはカラー上に設けられ、（ピンを受容するように構成された）溝付き部又は部分はフライホイール上にあってもよい。加えて、他の代替の実施形態においては、駆動用／フライホイールの構成要素と被駆動／カラーの構成要素との間のピンフィーチャと溝フィーチャとの任意の適切な組合せが設置可能になる。様々な例示的実施形態においては、フライホイール４６２の直径（及び被駆動ピン４７０の関連の位置）は、より多くの／より少ない駆動力及びより多くの／より少ない直線運動を生み出すように変更され得ることにもさらに留意すべきである（これにより、逆の関係（より長い行程／より少ない力など）がもたらされることになる）。
【００４１】
次にまた、図１４〜図１７を参照すると、ブレード駆動システム２８は、モータ５５２及び機械装置５５４を備える。モータ５５２は、ブレード管部１６の中心軸に対して略垂直である。モータ５５２は、概して、モータ筐体５５６、及びモータ筐体５５６から延出するモータシャフト５５８を備える。モータシャフト５５８は、モータ５５２が（電力ケーブル３２によって）電気的に付勢されると、回転するように構成されている。幾つかの実施形態によれば、モータ５５２、又はモータ５５２の少なくとも一部分は、グリップ空洞２２内に配設され得る。ただし、代替の実施形態においては、モータ５５２に適切な任意の場所が設けられてもよい（例えば、筐体空洞２０など）。
【００４２】
機械装置５５４は、カラー５６０、フライホイール５６２、及びカラーとフライホイールとの間のレバーアーム５６４を備える。カラー５６０は、フランジ部５６６及びピン部５６８を備える。フランジ部５６６は、内側ブレード管２６に固定された状態で接続されている（又は固定された状態で取り付けられている）。ピン部５６８は、略ピン形状を備える。フライホイールは、ピン５７０を備える。レバーアーム５６４は、開口部５７２、５７４を備える。開口部５７２、５７４は、ピン５６８、５７０をそれぞれ受容するように構成されている。
【００４３】
機械装置５５４は、回転用モータからの回転運動を往復運動に変えるためにピン及び剛性部材（レバーアーム）を含むフライホイールを備える。例えば、機関車の蒸気機関においては、熱蒸気はチャンバ内にポンピングされ、それにより、ピストンが往復する形で移動し、それにより、リンク機構が駆動して、ホイールが列車において回転するようになる。機械装置５５４は、同様の組立体であるが、ホイールは、直接、回転し、結果として、往復運動が生じる。往復運動端部は、内側ブレード管に接続され、それにより、ひいては、内側ブレード管が往復運動することになる。
【００４４】
例えば、フライホイール５６２が方向５７６に回転するにつれて（図１４参照）、ピン５７０は、開口部５７４内で回転するとともに、方向５７８に（レバーアーム５６４を介して）カラー５６０に対して力を伝える。フライホイール５６２が回転し続けると、カラー５６０（及び内側ブレード管２６）は、逆行程の端部に到達し、フライホイール５６２の連続回転が開始して、ピン５７０は、方向５８０に（レバーアーム５６４を介して）カラー５６０に対して力を伝えながら、開口部５７４内で回転し続けることになる（図１５参照）。フライホイール５６２が回転し続けると、カラー５６０（及び内側ブレード管２６）は、順行程の端部に到達し、フライホイール５６２の連続回転が開始して、ピン５７０は、方向５７８にカラー５６０に対して力を伝えて、逆行程を繰り返すことになる。
【００４５】
上記の実施形態については、フライホイールの「反時計回りの」回転に関連して説明しているが、代替の実施形態では、内側ブレード管の往復運動をもたらすのにフライホイールの「時計回りの回転」により行うことができる。
【００４６】
例示的な実施形態のうちのいずれか１つ又は複数の技術的効果は、従来の空気圧ベースの機器がもたらし得るものよりも大きい力を往復運動用ブレードに提供することによって、従来の構成に対する有意な利点を提供する。様々な例示的実施形態のさらなる技術的効果は、ブレード管部の中心軸から垂直なモータを設けることである。
【００４７】
本発明の様々な例示的実施形態については、外側ブレード管２４の切削窓４６において切削縁部４８を有するブレード管部１６との関連で説明しているが、他の構成も提供され得る。例えば、ブレード管部２１６の代替の実施形態が、（横断面図（上面）及び上面平面図（底面）を示している）図１８に示されている。ブレード管部１６と同様に、ブレード管部２１６は、外側ブレード管２２４、及びブレード駆動システム２８によって駆動するように構成されている内側ブレード管２２６を備える。ただし、この実施形態においては、内側ブレード管２２６は、切削窓２４７及び切削縁部２４９を備える。切削窓２４７は、外側ブレード管２２４の窓２４６に位置合わせされるように構成され、それにより、組織２７１が窓２４６、２４７の中に延びると、切削が行われ、内側ブレード管２２６の（近位端部に向かう（矢印２９５参照））後ろ向きの運動により、切削縁部２４９が組織２７１を切断することになる。
【００４８】
様々な非限定の例示的な実施形態のさらなる説明については後述する。後述の例示的な実施形態は、１つ又は複数の他の態様若しくは例示的な実施形態とともに実施され得る。つまり、すぐ後に説明するものなど、本発明の例示的な実施形態は、任意の組合せ（例えば、適切で、実施可能で、及び／又は実行可能である任意の組合せ）で、実装、実施、又は利用可能であり、これらは、本明細書に説明するそれらの組合せのみに限定するものではなく、及び／又は添付の特許請求の範囲に含まれている。
【００４９】
１つの例示的な実施形態においては、医療機器が提供され、この医療機器は、ブレード管部であって、外側ブレード管、内側ブレード管、及びブレード管部の遠位端部における切削窓を備える、ブレード管部、ブレード管部の中心軸からオフセットされたソレノイド、ならびに内側ブレード管とソレノイドとの間の機械装置を備える。
【００５０】
機械装置は、レバー部材を備えることができ、レバー部材は、内側ブレード管及びソレノイドに接続されている。医療機器は、内側チューブ部材に接続されているカラーをさらに備えることができる。レバー部材は、カラーに移動可能に接続され得る。機械装置は、第１の方向のソレノイドのシャフトの運動が、反対の第２の方向の内側ブレード管の運動をもたらすように構成され得る。機械装置は、第１の方向のソレノイドのシャフトの運動が、同じ方向の内側ブレード管の運動をもたらすように構成され得る。医療機器は、カラー、ブッシュ、及びバネをさらに備えることができ、カラーは、内側チューブ部材に接続され、バネは、ブッシュとカラーと間にある。内側ブレード管は、外側ブレード管に対して往復運動するように構成され得る。
【００５１】
別の例示的な実施形態においては、医療機器が提供され、この医療機器は、ブレード管部であって、外側ブレード管、内側ブレード管、及びブレード管部の遠位端部における切削窓を備える、ブレード管部、ソレノイド、ならびに内側ブレード管とソレノイドとに接続されているレバー部材を備える。
【００５２】
機械装置が、内側ブレード管とソレノイドとの間にあってよい。医療機器は、内側チューブ部材に固定された状態で接続されているカラーをさらに備えることができる。レバー部材は、カラーに移動可能に接続され得る。レバー部材は、第１の端部、第２の端部、及び第１の端部と第２の端部との間の開口部を備えることができ、レバー部材は、開口部の周りで回転するように構成されている。レバー部材は、第１の端部、第２の端部、及び第１の端部と第２の端部との間の開口部を備えることができ、レバー部材は、第２の端部の周りで回転するように構成されている。医療機器は、カラー、ブッシュ、及びバネをさらに備えることができ、カラーは、内側チューブ部材に接続され、バネは、ブッシュとカラーとの間にある。内側ブレード管は、外側ブレード管に対して往復運動するように構成され得る。ソレノイドは、ブレード管部の中心軸からオフセットされ得る。
【００５３】
別の例示的な実施形態においては、医療機器が提供され、この医療機器は、ブレード管部であって、外側ブレード管、内側ブレード管、及びブレード管部の遠位端部における切削窓を備える、ブレード管部、ブレード管部の中心軸からオフセットされたモータ、ならびに内側ブレード管とモータとの間の機械装置を備える。
【００５４】
医療機器は、内側チューブ部材に接続されているカラーをさらに備えることができる。機械装置は、フライホイールを備えることができ、フライホイールは、モータに接続されている。フライホイールは、カム部分を備えることができる。カム部分は、カラーに係合するように構成され得る。モータは、モータシャフトを備えることができ、モータシャフトは、ブレード管部の中心軸に略垂直である。医療機器は、カラー、ブッシュ、及びバネをさらに備えることができ、カラーは、内側チューブ部材に接続され、バネは、ブッシュとカラーとの間にある。内側ブレード管は、外側ブレード管に対して往復運動するように構成され得る。
【００５５】
別の例示的な実施形態においては、医療機器が提供され、この医療機器は、ブレード管部であって、外側ブレード管、内側ブレード管、及びブレード管部の遠位端部における切削窓を備える、ブレード管部、モータ、ならびに内側ブレード管とモータとの間のカム部分を備える。
【００５６】
医療機器は、内側チューブ部材に固定された状態で接続されているカラーをさらに備えることができる。機械装置は、内側ブレード管とモータとの間に設置され得る。機械装置は、フライホイールを備えることができ、フライホイールは、モータに接続されている。フライホイールは、カム部分を備えることができる。カム部分は、内側ブレード管上の部材に接触するように構成され得る。医療機器は、カラー、ブッシュ、及びバネをさらに備えることができ、カラーは、内側チューブ部材に接続され、バネは、ブッシュとカラーとの間にある。内側ブレード管は、外側ブレード管に対して往復運動するように構成され得る。モータは、ブレード管部の中心軸から略垂直であってよい。
【００５７】
別の例示的な実施形態においては、医療機器が提供され、この医療機器は、ブレード管部であって、外側ブレード管、内側ブレード管、及びブレード管部の遠位端部における切削窓を備える、ブレード管部、ブレード管部から離隔されているモータ、ならびに内側ブレード管とモータとの間のスコッチヨーク機構又は溝付リンク機構を備える。
【００５８】
医療機器は、内側チューブ部材に接続されているカラーをさらに備えることができる。医療機器は、フライホイールをさらに備えることができ、フライホイールは、モータに接続されている。フライホイールは、ピンを備えることができる。ピンは、カラーの一部分に係合するように構成され得る。モータは、モータシャフトを備えることができ、モータシャフトは、ブレード管部の中心軸に略垂直である。医療機器は、カラーをさらに備えることができ、カラーは、内側チューブ部材に接続され、カラーのヨーク部分は、モータによって回転するピンを受容するように構成されている。内側ブレード管は、外側ブレード管に対して往復運動するように構成され得る。
【００５９】
別の例示的な実施形態においては、医療機器が提供され、この医療機器は、ブレード管部であって、外側ブレード管、内側ブレード管、及びブレード管部の遠位端部における切削窓を備える、ブレード管部、モータ、ピンを有し、モータに接続されているフライホイール、ならびに内側ブレード管とモータとの間の溝付部分であって、ピンを受容するように構成されている溝付部分を備える。
【００６０】
医療機器は、内側チューブ部材に固定された状態で接続されているカラーをさらに備えることができる。機械装置が、内側ブレード管とモータとの間にあってよい。機械装置は、フライホイールを備えることができる。フライホイールは、ピンを備えることができる。ピンは、カラーの一部分に係合するように構成されている。医療機器は、カラーをさらに備えることができ、カラーは、内側チューブ部材に接続され、カラーのヨーク部は、溝付部分を備える。内側ブレード管は、外側ブレード管に対して往復運動するように構成され得る。モータは、ブレード管部の中心軸に対して略垂直とすることができる。
【００６１】
別の例示的な実施形態においては、医療機器が提供され、この医療機器は、ブレード管部であって、外側ブレード管、内側ブレード管、及びブレード管部の遠位端部における切削窓を備える、ブレード管部、ブレード管部から離隔されているモータ、ならびに内側ブレード管とモータとの間のレバーアームを備える。
【００６２】
医療機器は、内側チューブ部材に接続されているカラーをさらに備えることができる。医療機器は、フライホイールをさらに備えることができ、フライホイールは、モータに接続されている。フライホイールは、ピンを備えることができる。カラーは、フランジ部及びピン部を備えることができる。モータは、モータシャフトを備えることができ、モータシャフトは、ブレード管部の中心軸に略垂直である。医療機器は、カラーをさらに備えることができ、カラーは、内側チューブ部材に接続され、カラーのピンは、レバーアームの開口部によって受容されるように構成されている。内側ブレード管は、外側ブレード管に対して往復運動するように構成され得る。
【００６３】
別の例示的な実施形態においては、医療機器が提供され、この医療機器は、ブレード管部であって、外側ブレード管、内側ブレード管、及びブレード管部の遠位端部における切削窓を備える、ブレード管部、モータ、ピンを有し、モータに接続されているフライホイール、ならびにピン部を有し、内側ブレード管に接続されているカラーであって、部材が、ピン部をピンに移動可能に接続する、カラーを備える。
【００６４】
カラーは、内側チューブ部材に固定された状態で接続され得る。部材は、レバーアームとすることができる。レバーアームは、第１の開口部、及び反対の第２の開口部を備えることができる。第１の開口部は、ピンを受容するように構成され得、第２の開口部は、ピン部を受容するように構成されている。レバーアームは、フライホイールと内側ブレード管との間にあってよい。ピンは、フライホイールと内側ブレード管との間にあってよい。内側ブレード管は、外側ブレード管に対して往復運動するように構成され得る。モータは、ブレード管部の中心軸に対して略垂直であってよい。
【００６５】
本発明の構成要素が、動作上、連結又は接続され得ること、及び任意の数又は組合せの介在する要素が存在し得ること（介在する要素を１つも含まないこと）を理解すべきである。接続部は、直接であっても、又は間接であってもよく、加えて、単に、構成要素間の機能関係が存在するだけであってもよい。
【００６６】
前述の説明が、単に本発明の例示にすぎないことを理解すべきである。様々な代替形態及び変更形態は、本発明から逸脱することなく当業者によって考案され得る。したがって、本発明は、添付の特許請求の範囲内に入るそのようなすべての代替形態、変更形態、及び変形形態を包含するように意図されるものである。
【符号の説明】
【００６７】
１０  医療機器
１２  筐体
１４  ピストルグリップ部分
１６  ブレード管部
１８  ノーズピース
２０  内部空洞
２２  内部空洞
２４  外側ブレード管
２６  内側ブレード管
２８  ブレード駆動システム
３０  コネクタ
３２  電力ケーブル
３４  動的シール
３６  内側ルーメン
４０  遠位端部
４２  近位端部
４４  開口部
４６  切削窓
４８  切削縁部
５０  切削チップ
５０Ａ  切削チップ
５０Ｂ  切削チップ
５０Ｃ  切削チップ
５０Ｄ  切削チップ
５２  ソレノイド
５４  機械装置
５６  静止中空円筒形部
５８  付勢コイル
６０  シャフト
６２  方向
６４  遠位ブッシュ
６６  近位ブッシュ
６８  カラー
７０  バネ
７２  レバー部材
７４  開口部
７６  開口部
７８  第１の側面
８０  第２の側面
８２  ピン（又はボスフィーチャ）
８４  第１の端部
８６  第２の端部
８８  開口部
９０  取付け点
９２  ピン（又はボスフィーチャ）
９４  開口部
９６  開口部
９８  ピン（又はボスフィーチャ）
９９  矢印
１２８  ブレード駆動システム
１５４  機械装置
１６２  方向
１６６  バネ
１７２  レバー部材
１８４  第１の端部
１８６  第２の端部
１８８  開口部
１９０  取付け点
１９４  開口部
１９６  開口部
１９８  ピン
２１６  ブレード管部
２２４  外側ブレード管
２２６  内側ブレード管
２２８  ブレード駆動システム
２４６  窓
２４７  切削窓
２４９  切削縁部
２５２  モータ
２５４  機械装置
２５６  モータ筐体
２５８  モータシャフト
２６０  遠位ブッシュ
２６２  近位ブッシュ
２６４  カラー
２６６  バネ
２６８  フライホイール
２７０  開口部
２７１  組織
２７２  開口部
２７４  第１の側面
２７６  第２の側面
２７８  カム部分
２８０  矢印
２８２  方向
２８４  矢印
２９０  吸引コネクタ
２９５  矢印
３５４  機械装置
４５２  モータ
４５４  機械装置
４５６  モータ筐体
４５８  モータシャフト
４６０  カラー
４６２  フライホイール
４６４  フランジ部
４６６  ヨーク部
４６８  溝付部分
４７０  ピン
４７４  方向
４７６  方向
５５２  モータ
５５４  機械装置
５５６  モータ筐体
５５８  モータシャフト
５６０  カラー
５６２  フライホイール
５６４  レバーアーム
５６６  フランジ部
５６８  ピン部、ピン
５７０  ピン
５７２  開口部
５７４  開口部
５７６  方向
５７８  方向
５８０  方向
【図１】
2020131041.tif 000003
【図２】
2020131041.tif 000004
【図３】
2020131041.tif 000005
【図４】
2020131041.tif 000006
【図５】
2020131041.tif 000007
【図６】
2020131041.tif 000008
【図７】
2020131041.tif 000009
【図８】
2020131041.tif 000010
【図９】
2020131041.tif 000011
【図１０】
2020131041.tif 000012
【図１１】
2020131041.tif 000013
【図１２】
2020131041.tif 000014
【図１３】
2020131041.tif 000015
【図１４】
2020131041.tif 000016
【図１５】
2020131041.tif 000017
【図１６】
2020131041.tif 000018
【図１７】
2020131041.tif 000019
【図１８】
2020131041.tif 000020
【手続補正書】
【提出日】令和2年4月20日(2020.4.20)
【手続補正１】
【補正対象書類名】特許請求の範囲
【補正対象項目名】全文
【補正方法】変更
【補正の内容】
【特許請求の範囲】
【請求項１】
ブレード管部であって、外側ブレード管と、内側ブレード管と、前記ブレード管部の遠位端部に位置する切削窓とを備えている、前記ブレード管部と、
前記ブレード管部の中心軸からオフセットされているモータであるブレード駆動システムと、
前記内側ブレード管と前記ブレード駆動システムとの間に位置する機械装置と、
を備えている、医療機器。
【請求項２】
前記ブレード駆動システムが、ソレノイドを含んでいる、請求項１に記載の医療機器。
【請求項３】
前記ソレノイドが、前記ブレード管部の中心軸からオフセットされている、請求項２に記載の医療機器。
【請求項４】
前記機械装置が、レバー部材を備えており、
前記レバー部材が、前記内側ブレード管及び前記ブレード駆動システムに接続されている、請求項１〜３のいずれか一項に記載の医療機器。
【請求項５】
前記機械装置が、内側チューブ部材に接続されているカラーを備えている、請求項４に記載の医療機器。
【請求項６】
前記レバー部材が、前記カラーに移動可能に接続されている、請求項５に記載の医療機器。
【請求項７】
第１の方向における前記ソレノイドのシャフトの運動が、前記第１の方向の逆方向である第２の方向における前記内側ブレード管の運動を提供するように、前記機械装置が構成されている、請求項２に記載の医療機器。
【請求項８】
第１の方向における前記ソレノイドのシャフトの運動が、前記第１の方向における前記内側ブレード管の運動を提供するように、前記機械装置が構成されている、請求項２に記載の医療機器。
【請求項９】
前記機械装置が、カラーとブッシュとバネとを備えており、
前記カラーが、内側チューブ部材に接続されており、
前記バネが、前記ブッシュと前記カラーとの間に位置している、請求項１に記載の医療機器。
【請求項１０】
前記レバー部材が、第１の端部と、第２の端部と、前記第１の端部と前記第２の端部との間に位置する開口部とを備えており、
前記レバー部材が、前記開口部の周りで回転するように構成されている、請求項４に記載の医療機器。
【請求項１１】
前記レバー部材が、第１の端部と、第２の端部と、前記第１の端部と前記第２の端部との間に位置する開口部を備えており、
前記レバー部材が、前記第２の端部の周りで回転するように構成されている、請求項４に記載の医療機器。
【請求項１２】
前記機械装置が、カラーとブッシュとバネとを備えており、
前記カラーが、内側チューブ部材に接続されており、
前記バネが、前記ブッシュと前記カラーとの間に位置している、請求項４に記載の医療機器。
【請求項１３】
前記機械装置が、内側チューブ部材に接続されているカラーを備えている、請求項１に記載の医療機器。
【請求項１４】
前記モータが、モータシャフトを備えており、
前記モータシャフトが、前記ブレード管部の前記中心軸に対して略垂直に配置されている、請求項１又は１３に記載の医療機器。
【請求項１５】
前記機械装置が、カラーとブッシュとバネとを備えており、
前記カラーが、内側チューブ部材に接続されており、
前記バネが、前記ブッシュと前記カラーとの間に位置している、請求項１に記載の医療機器。
【請求項１６】
前記モータが、前記ブレード管部から離隔されている、請求項１に記載の医療機器。
【請求項１７】
前記モータが、モータシャフトを備えており、
前記モータシャフトが、前記ブレード管部の前記中心軸に対して略垂直に配置されている、請求項１６に記載の医療機器。
【請求項１８】
前記機械装置が、レバーアームを備えている、請求項１又は１６に記載の医療機器。
【請求項１９】
前記機械装置が、内側チューブ部材に接続されているカラーをさらに備えている、請求項１８に記載の医療機器。
【請求項２０】
前記モータが、モータシャフトを備えており、
前記モータシャフトが、前記ブレード管部の前記中心軸に対して略垂直に配置されている、請求項１又は１６に記載の医療機器。
【請求項２１】
前記内側ブレード管が、前記外側ブレード管に対して往復運動するように構成されている、請求項１〜２０のいずれか一項に記載の医療機器。
【請求項２２】
前記モータが、前記ブレード管部の中心軸に対して略垂直に位置している、請求項１〜２１のいずれか一項に記載の医療機器。
【外国語明細書】
2020131041000001.pdf